(57)【要約】【課題】  被験者が臀部収容空間部に位置して、被験者の体重と体の動きを利用して腰臀部周辺のツボや筋肉を押圧伸展が可能であって、長時間の使用によっておこる過剰な刺激による痛みを解消するために、必要な時と必要で無い時に切り替えて使い分け可能な仕組みを有する腰臀部押圧伸展器を提供する。【解決手段】  主座と副座があって、副座が被験者方向前後に回転して、被験者が位置して、腰臀部を吊り下げて支持可能な臀部収容空間部を形成し、腰臀部周辺のツボや筋肉を押圧伸展可能な押圧頂面を形成することを特徴とする腰臀部押圧伸展器。【選択図】図１
2015177942.tif 000002
【特許請求の範囲】
【請求項１】
主座と副座があって、副座が被験者方向前後に回転可能であることを特徴とする腰臀部押圧伸展器。
【請求項２】
主座と副座があって、副座が被験者方向前後に回転して、被験者が位置可能な臀部収容空間部を形成することを特徴とする請求項１記載の腰臀部押圧伸展器。
【請求項３】
主座と副座があって、副座が被験者方向前後に回転し、ツボや筋肉を押圧伸展可能な押圧頂面を形成することを特徴とする請求項１と請求項２記載の腰臀部押圧伸展器。
【請求項４】
主座と副座があって、副座が被験者方向前後に回転し、副座の回転する角度を調整して副座の傾倒する角度を調整し、押圧頂面のツボや筋肉を押圧する圧力を調整可能とすることを特徴とする請求項１と請求項２と請求項３記載の腰臀部押圧伸展器腰臀部押圧伸展器。
【発明の詳細な説明】
【技術分野】
【０００１】  本発明は、被験者が臀部収容空間部に位置して、被験者の体重と体の動きを利用して腰臀部周辺のツボや筋肉を押圧伸展が可能であって、長時間の使用によっておこる過剰な刺激による痛みを解消するために、必要な時と必要で無い時に切替て使い分け可能な仕組みを有する腰臀部押圧伸展器に関するものである。
【背景技術】
【０００２】  腰痛といわれる日常によくある腰部の不快感や痛みは、筋肉の疲労により、腰を支える筋肉の力が低下して血液循環が悪くなり筋肉の緊張が強まって起こるという説がある。そして、腰部の不快感や痛みを防ぐため、あるいは腰部に不快感や痛みがあるとき、座骨周辺、臀部と大腿部の接続部分周辺のツボや筋肉に圧力を加えることなどが有効であるという説があり、被験者が座ったとき被験者の上半身の重みと被験者が無意識に体を動かす自然な動きを利用して、自動で被験者の座骨周辺、臀部と大腿部の接続部分周辺のツボや筋肉を揉み解す自働腰臀揉み器がある。（特許文献１参照）【０００３】  長時間、椅子に座っていると腰を支える筋肉が疲れて腰痛が起こるという説がある。そして、腰部に不快感や痛みがあるときは、被験者の下半身の重さを利用して腰を引っ張って伸ばす、あるいは被験者の上半身の重力を取り除くなどの方法が有効であるという説があり、被験者の上半身を支持して腰を浮かせ腰部にかかる上半身の重力を取り除き、下半身の重さで腰部の筋肉を伸ばして解す健康器具がある。（特許文献２参照）
【特許文献１】特開２００８−１０４８２３号公報
【特許文献２】特開２００９−２４７３７８号公報
【発明の開示】
【発明が解決しようとする課題】
【０００４】  腰痛といわれる日常によくある腰部の不快感や痛みは、筋肉の疲労により、腰を支える筋肉の力が低下して血液循環が悪くなり筋肉の緊張が強まって起こるという説がある。被験者が臀部と大腿部の接続部分周辺の筋肉を被験者支持部材に当接して着座し、上半身を背凭れ部材で支持して、被験者の体重と体の動きで臀部と大腿部の接続部分周辺の筋肉を押圧伸展して揉み解す自働腰臀揉み器（特許文献１参照）は、長時間使用すると、刺激が過剰となって被験者支持部材に当接する部位が緊張して痛くなるという課題がある。【０００５】  自働腰臀揉み器は被験者の体重を被験者支持部材に負荷して、臀部と大腿部の接続部分周辺の筋肉を揉み解す仕組みである。しかし、被験者支持部材に負荷される被験者の体重を調整する仕組みがなく、被験者の体調、体型、好みなどに合わせて使うことができない不便があるいう課題がある。【０００６】  腰部の不快感や痛みを防ぎたいとき、あるいは腰部に不快感や痛みがあるときは、被験者の下半身の重さを利用して腰を引っ張って伸ばす、あるいは被験者の上半身の重力を取り除くなどの方法が有効であるという説があり、被験者の上半身を支持して腰を浮かせ腰部にかかる上半身の重力を取り除き、下半身の重さで腰部の筋肉を伸ばして解す健康器具（特許文献２参照）がある。被験者の胴部を支持する肘掛状の上体支持部と、背凭れ部側の後端部が下方に変位して前端部で被験者の膝裏を支持する座面部があって、上体支持部と座面部前端部を支点に被験者の腰部を空中に浮かせて保持し、腰部を重力から解放し、骨盤の自重で脊椎を伸展可能な椅子型の健康器具である。被験者の上半身を下方から支持する上体支持部で上半身を支持し、腰部を空中に浮かせる仕組みは、上半身が固定されて動きが拘束される。そのために、健康器具として使いたい時、仕事中や作業中であれば手を止めなければならない。してみると「ながら」時間を効果的に使うことができない。筋肉を揉み解す専用の時間が必要になるという課題がある。さらに、【０００７】  被験者の上半身と膝裏で支持して腰部を空中に浮かせるには、被験者の上半身を下方から支持する上体支持部で上半身を支持し、腰部を空中に浮かせるには、上体支持部に人体胴部を巻き込んで支持可能な構造が必要で、それには構造が大掛かりになってしまうので、小さくコンパクトであることが求められる病院や公共施設で使用されるベンチや椅子などに、この構造の全部あるいは一部を用いて構成することは困難であるという課題がある。【０００８】  被験者が椅子に腰掛けた時、座面に触れる骨盤の左右の骨の位置を座骨点という。座骨点が椅子の座面に接して体重が負荷され、座面に生じる反発力が腰に負荷されて腰が痛くなると言う説がある。この反発力を減少あるいは分散するために被験者の姿勢を制御するさまざまの腰痛対策が工夫された椅子や座布団があるが、反発力を解消することはできないので、長い時間座り続けると腰が痛くなるという課題がある。【０００９】  腰痛といわれる日常によくある腰部の不快感や痛みは、筋肉の疲労により、腰を支える筋肉の力が低下して血液循環が悪くなり筋肉の緊張が強まって起こるという説がある。例えば、椅子に腰掛けているとき、姿勢がくずれ背中が丸まると体の重心が後ろにずれてしまう。体はバランスを安定させようとして無意識に腰椎を前へせり出す。この状態は、腰の筋肉が縮み腰の筋肉に過度な負担がかかり、疲労がたまりやすく腰痛をおこしやすくなる。このように椅子に腰掛けると、姿勢を維持するために腰を支える筋肉の一部分に負担がかかり、その部分の筋肉が疲労して不快感や痛みを生じてしまうという課題がある。【００１０】  椅子に腰掛けた時、座骨点は座面の上を滑りやすく、これが椅子に腰掛けた時に姿勢がくずれる大きな原因になる。座骨点が座面の上を滑ると身体はバランスを安定させようとして踏ん張るので、筋肉の一部分に過度な負担がかかり、この筋肉が疲労して不快感や痛みが生じるという課題がある。【００１１】  人間工学に基づいて開発された椅子で、骨盤が立って背骨が緩やかなＳ字の生理的湾曲を維持する正しい姿勢に被験者の姿勢を矯正する椅子は、被験者に正しい姿勢を押し付けて、さらにその姿勢を維持して座ることを強制する。しかし、人はいつも動いていたい動物であって、正しい姿勢であっても同じ姿勢を長い時間強制されるのは被験者には精神的ストレスになり、さらに姿勢を維持するために腰を支える筋肉に負担がかかり続けるので、この部分の筋肉が疲労する肉体的ストレスになる。つまり正しい姿勢でも、長い時間これを続けることは精神的にも肉体的にも苦痛になってしまうという課題がある。
【課題を解決するための手段】
【００１２】  主座と副座があって、副座が被験者方向前後に回転可能であることを特徴とする腰臀部押圧伸展器。【００１３】  主座と副座があって、副座が被験者方向前後に回転して、被験者が位置して、腰臀部を吊り下げて支持可能な臀部収容空間部を形成することを特徴とする請求項１記載の腰臀部押圧伸展器。【００１４】  主座と副座があって、副座が被験者方向前後に回転し、被験者が位置して、腰臀部周辺のツボや筋肉を押圧伸展可能な押圧頂面を形成することを特徴とする請求項１記載の腰臀部押圧伸展器。【００１５】  主座と副座があって、副座が被験者方向前後に回転し、副座の回転する角度を調整して副座の傾倒する角度を調整し、押圧頂面のツボや筋肉を押圧する圧力を調整可能とすることを特徴とする請求項１記載の腰臀部押圧伸展器腰臀部押圧伸展器。
【発明の効果】
【００１６】  本発明の腰臀部押圧伸展器は、主座と副座で構成される座面で、副座を回転して押圧頂面と被験者支持部と臀部収容空間部を形成可能で、長時間使用して刺激が過剰になった時は、副座を再び回転して押圧頂面と被験者支持部と臀部収容空間部を解消して、刺激を消除することができるという効果がある。【００１７】  本発明の腰臀部押圧伸展器は、主座と副座で構成される座面で、副座を回転して押圧頂面の高さや被験者支持部の傾斜角度を調整して、腰臀部周辺のツボや筋肉の押圧力を調整可能で、被験者は好ましい押圧力で使用できるという効果がある。【００１８】  本発明の腰臀部押圧伸展器は、被験者が座骨点を臀部収容空間部に位置して背凭れに上半身をあずけると、押圧頂面と被験者支持部と背凭れに支持されて骨盤が吊り下がって保持され、腰部を空中に浮かせることができる。しかも、背凭れに上半身を固定する特別の構造がなくても腰部を空中に浮かせることができるという効果がある。【００１９】  被験者は体を拘束されず手足を自由に動かすことができる。してみると仕事や作業する時間を利用して「ながら」で使うことができるという効果がある。【００２０】  本発明の腰臀部押圧伸展器は、上半身を固定する特別の構造や座面を電動機器や空圧機器を使用しない構造で、簡素な構造の病院や公共施設などで使用されるベンチや椅子などに、この構造の全部あるいは一部を用いて構成することができるという効果がある。【００２１】  本発明の腰臀部押圧伸展器は、背凭れに上半身を固定する特別の構造を必要とせず、また簡単な操作で座面の制御が可能な構造である。この構造の全部あるいは一部を用いて、多くの人が頻繁に入れ替わり使用する病院や公共施設で使用される椅子やベンチ、人が忙しく入れ替わるバスや電車のシートなどに構成することができるという効果がある。【００２２】  本発明の腰臀部押圧伸展器は、被験者が座骨点を臀部収容空間部に位置して背凭れに上半身をあずけると、押圧頂面と被験者支持部と背凭れに支持されて骨盤が吊り下がって保持される。
（１）被験者の座骨点が椅子の座面に接すると体重が負荷されて座面に生じる反発力が腰に負荷されて腰が痛くなると言う説がある。骨盤が吊下がると座骨点が浮く。座骨点が座面に当接しないと反発力が生じないので腰が痛くならないという効果がある。
（２）被験者が座骨点を臀部収容空間部に位置すると骨盤が吊り下がり、座骨に押圧頂面が当接する。骨盤は座骨が押圧頂面に被験者方向後に押されると立って、骨盤が立つと背筋が自然に伸びて生理的Ｓ字曲線が自然に形成されるという効果がある。
（３）被験者が座骨点を臀部収容空間部に位置すると骨盤が吊り下がり、押圧頂面に座骨が当接する。被験者の体重が負荷されて座骨前部や臀部と大腿部の接続部分周辺のツボや筋肉が押圧される。さらに、被験者が体を動かすと、背凭れを支点に被験者の上半身が梃子になって梃子の作用で骨盤が被験者方向前に押されると座骨前部や臀部と大腿部の接続部分周辺のツボや筋肉は揉まれて伸展されるという効果がある。
（４）被験者が座骨点を臀部収容空間部に位置して、背凭れに上半身をあずけると骨盤が吊り下がって保持される。骨盤が重石になって腰臀部周辺の筋肉が重みで被験者方向下方に引っ張られて伸展されるという効果がある。
（５）被験者が座骨点を臀部収容空間部に位置して、背凭れに上半身をあずけると骨盤が吊り下がって保持される。骨盤が吊下がり浮くと腰臀部周辺の筋肉は体重が負荷されず重力から解放されるという効果がある。
（６）被験者が座骨点を臀部収容空間部に位置すると骨盤が吊り下がり、座骨が押圧頂面に当接して骨盤が安定し、腰も安定する。腰が安定しているので姿勢が安定し、腰は姿勢を支えようとして踏ん張る必要が無いので疲れない。痛くならないという効果がある。
（７）所謂正しい姿勢に被験者の姿勢を固定して、さらに長い時間これを維持しようとすると一部の筋肉が緊張を強いられて疲れ、やがて痛くなる。こうして起こる筋肉の緊張を軽減するために体は無意識に動いたり姿勢を変えたりするという説がある。体重や体の動きを利用してツボや筋肉を押圧伸展する仕組みであって、姿勢を固定し、あるいは長い時間これを維持することがないので一部の筋肉が緊張を強いられて疲れ、痛くなるといったことが無くなるという効果がある。
【発明を実施するための最良の形態】
【００２３】以下本発明の実施形態について説明する。
［第１実施形態］
図１は本発明の第１実施形態を示す概略図である。
図２は本発明の第１実施形態を示す概略図である。
図３は本発明の第１実施形態を示す分解概略図である。
図４は本発明の第１実施形態の操作と機能を示す概略図である。
図５は本発明の第１実施形態の操作と機能を示す概略図である。
図６は本発明の第１実施形態の操作と機能を示す概略図である。
図７は本発明の第１実施形態の操作と機能を示す概略図である。
図８は本発明の第１実施形態の懸吊機能を示す説明図である。
図９は本発明の第１実施形態の押圧伸展機能を示す説明図である。
図１０は本発明の第１実施形態の姿勢制御機能を示す説明図である。
図１１は本発明の第１実施形態の座骨滑動制御を示す説明図である。【００２４】  本実施形態の腰臀部押圧伸展器１は、主座３と副座４があって、副座４が被験者方向前後に回転して、臀部収容空間部６を形成し、被験者が臀部収容空間部６に位置して、腰臀部を吊り下げて支持し、骨盤など自重で腰部周辺の筋肉を伸展可能であって、また臀部収容空間部６を形成し、ツボや筋肉を押圧伸展可能な押圧頂面７と押圧頂面８と被験者支持部９を形成し、被験者Ｈが臀部収容空間部６に位置して、腰臀部周辺のツボや筋肉を、骨盤など自重で押圧し体の動きで伸展可能である。【００２５】  図３に示されるように、本実施形態の腰臀部押圧伸展器１の部品は、
（１）横枠２は、スライド溝１２と軸受部１１Ｆと軸受部１１Ｒを有し、
（２）主座３は、主座３が被験者方向前後に回転可能な回転軸部１０Ｆを有し、
（３）補助座５は、補助座５が被験者方向前後に回転可能な回転軸部１０Ｒを有し、
（４）副座４は、副座４が横枠２のスライド溝１２を被験者方向前後に移動かつ回転可能な回転軸１０Ｍを有し、さらに
（５）固定具１３は、横枠２に主座３と補助座５を、補助座５が被験者方向前後に回転可能に取り付けが可能な公知の技術を用いたものであって、例えばベアリングとリテーナーを一体で構成してなるものである。【００２６】  図１、図３に示されるように、本実施形態の腰臀部押圧伸展器１は、
（１）横枠２の軸受部１１Ｆと軸受部１１Ｒに、固定具１３を取り付け、
（２）横枠２の軸受部１１Ｆに取り付けた固定具１３に主座３の回転軸１０Ｆを取り付けて、
（３）横枠２の軸受部１１Ｒに取り付けた固定具１３に補助座５の回転軸１０Ｒを取り付けて、
（４）横枠２のスライド溝１２に副座４の回転軸１０Ｍを取り付けて、
組み立て使用可能である。また利便性が減殺されるが補助座５はなくても組み立てて使用可能である。【００２７】  図２を主座３、副座４、補助座５の原位置として、図４（Ａ）に示されるように、副座４を被験者方向前に回転し、補助座５を被験者方向後に回転して位置する。【００２８】  図４（Ｂ）に示されるように、副座４が傾倒して支持されて副座４の後下方位置に臀部収容空間部６が形成されて、押圧頂面７、押圧頂面８、被験者支持部９が形成される。【００２９】  図２を主座３、副座４、補助座５の原位置として、図５（Ａ）に示されるように、主座３を被験者方向前に回転し、副座４を被験者方向後に回転して位置する。【００３０】  図５（Ｂ）に示されるように、副座４の前下方位置で主座３の間に臀部収容空間部６が形成されて、押圧頂面７、押圧頂面８が形成される。【００３１】  図２を主座３、副座４、補助座５の原位置として、図６（Ａ）に示されるように、主座３と副座４を被験者方向前に回転して位置する。【００３２】  図６（Ｂ）に示されるように、副座４と補助座５間に臀部収容空間部６が形成されて、押圧頂面７、押圧頂面８が形成される。【００３３】  図２を主座３、副座４、補助座５の原位置として、図７（Ａ）に示されるように、主座３と副座４を被験者方向前に回転し、補助座５を被験者方向後に回転して位置する。【００３４】  図７（Ｂ）に示されるように、副座４と補助座５間に臀部収容空間部６が形成されて、押圧頂面７、押圧頂面８が形成される。臀部収容空間部６は補助座５が被験者方向後に回転することで図６の臀部収容空間部６より広くなって形成される。【００３５】  図４、図５、図６、図７に示されるように、主座３、副座４、補助座５を回転あるいは移動して臀部収容空間部６が形成され、押圧頂面７、押圧頂面８が形成される。【００３６】  図４、図５、図６、図７は一例であって、主座３、副座４、補助座５を個々に回転あるいは移動するなど自由に操作して、臀部収容空間部６の位置や大きさを様々に変化させることが可能である。【００３７】  ツボや筋肉を押圧し伸展する圧力は、臀部収容空間部６の位置や大きさを変え、押圧頂面７や押圧頂面８がツボや筋肉に当接する角度を変えることで可能で、被験者Ｈは臀部収容空間部６の位置や大きさを調整して、ツボや筋肉に負荷する押圧伸展力を変えることができる。特にツボや筋肉は長時間刺激が続くと、刺激が過剰になり痛くなるが、刺激を軽減あるいは解消して痛くなることを防ぐことができる。【００３８】  本願の腰臀部押圧伸展器は副座を被験者方向前後に回転して、臀部収容空間部、押圧頂面、被験者支持部を形成し、ツボや筋肉を押圧伸展する仕組みであって、図８から図１１で示すような効果を得る。
（１）図４、図８に示されるように、被験者Ｈが座骨点４４を臀部収容空間部６に位置して、背凭れ２９に上半身をあずけると押圧頂面７、押圧頂面８、被験者支持部９、背凭れ２９で支持されて骨盤５７は懸吊して保持される。骨盤５７が重石になって伸展範囲Ｗの筋肉は矢印Ｙ１に示すように被験者方向下方に引っ張られて伸展され、さらに体重が負荷されず重力から解放される。さらに、
（２）図４、図８に示されるように、被験者Ｈが座骨点４４を臀部収容空間部６に位置して、背凭れ２９に上半身をあずけると押圧頂面７、押圧頂面８、被験者支持部９、背凭れ２９で支持される。押圧頂面７は被験者の大腿部周辺のツボや筋肉に当接し、押圧頂面８は被験者の臀部と大腿部の接続部分周辺のツボや筋肉に当接し、当接するツボや筋肉は被験者Ｈの体重と体の動きで押圧され伸展される。
（３）図５、図９（Ａ）に示されるように、被験者Ｈが臀部収容空間部６に位置すると、座骨８８が押圧頂面７、押圧頂面８に当接し挟まれて支持される。
押圧頂面７は臀部と大腿部の接続部分周辺や座骨８８の前部周辺、押圧頂面８は座骨後面周辺のツボや筋肉に当接し、矢印Ｙ１に示すように、骨盤５７など自重が負荷される。当接するツボや筋肉は押圧され、さらに被験者Ｈの体の動きで伸展される。
（４）図６、図９（Ｂ）に示されるように、被験者Ｈが臀部収容空間部６に位置すると、座骨８８が押圧頂面７、押圧頂面８に当接し挟まれて支持される。さらに、被験者Ｈが背凭れ２９に上体を預けると、背凭れ２９を支点に上半身が梃子になって、矢印Ｙ２のように、骨盤５７が被験者方向前に押し出されて、座骨８８が押圧頂面８に押し付けられて、座骨８８の後部周辺のツボや筋肉は、押圧頂面８と座骨８８に挟まれ体重で押圧され体の動きで伸展される。また、臀部と大腿部の接続部分周辺あるいは座骨８８の前部周辺のツボや筋肉は押圧頂面７に当接して体重で押圧され、体の動きで伸展される。
（５）被験者Ｈが座骨点を椅子の座面に位置して背凭れに上体を預けると、背凭れを支点に上半身が梃子になって、骨盤が被験者方向前に押し出される。座骨点が座面の上を滑り大腿部が前に押し出される。すると骨盤の角度が変わり、骨盤が曲がり、背骨が引っ張られて、生理的Ｓ字曲線が崩れて姿勢が悪くなるという説がある。図１０に示されるように、骨盤５７が懸吊されて、座骨点４４が浮揚して座骨８８の前部に押圧頂面８が当接すると、座骨点４４が安定するので骨盤５７が自然に立ちあがり、背筋が伸び生理的Ｓ字曲線９０が形成される。
（６）被験者が椅子の座面に位置すると座骨点が座面に接し体重負荷されて座面に生じる反発力が腰に負荷されて腰が痛くなると言う説があって、被験者の姿勢を制御してこの反発力を減少あるいは分散するよう工夫した椅子や座布団がある。図１０に示されるように、被験者Ｈが座骨点４４を臀部収容空間部６に位置して、背凭れ２９に上半身をあずけると、押圧頂面７、押圧頂面８、被験者支持部９、背凭れ２９で支持されて骨盤５７は懸吊して保持される。座骨点４４が浮揚して座面に接することがないので反発力が生じることがなく、腰も痛くならない。
（７）被験者Ｈが座骨点４４を椅子の座面に位置し背凭れに上体を傾けると、腰が被験者方向前に押し出される。座骨点が座面上を滑り腰は安定できない。腰が不安定であると姿勢が不安定になり、姿勢を安定させるために腰が踏ん張るので、やがて腰が疲れ痛くなるという説がある。しかし、図１１に示されるように、被験者Ｈが臀部収容空間部６に位置、背凭れに上体を傾けると、座骨点４４が座面８０から離れて浮揚する。被験者の体形によっては座面８０に触れることもあるが、どちらの場合でも座骨８８の前部が押圧頂面８に当接する。座骨８８の前部が押圧頂面８に押し付けられると座骨点４４は動けない。してみると腰も安定し姿勢も安定する。腰は姿勢を安定させるために踏ん張る必要が無いので疲れたり痛くなったりしない。【００３９】  本実施形態の腰臀部押圧伸展器１は座布団型である。しかし構造の全部または一部を使用して椅子型に構成することも可能である。【００４０】  ［第２実施形態］
図１２は本発明の第２実施形態を示す概略図である。
図１３は本発明の第２実施形態を示す概略図である。
図１４は本発明の第２実施形態で主座を示す概略部品図である。
図１５は本発明の第２実施形態で副座を示す概略部品図である。
図１６は本発明の第２実施形態の使用方法と機能を示す概略図である。
図１７は本発明の第２実施形態の使用状態を示す概略図である。【００４１】  本実施形態の腰臀部押圧伸展器１５は、図１２に示されるように、主座１７と副座１８が回転軸２０で連結される。構造をシンプルにして、小型軽量で持ち運び便利な構成である。時間が短く手早く取り扱えることが要求される電車やバスなど公共交通機関では、図１６に示されるように大雑把な調整ですぐに使え、時間を気にしない家庭や職場でなら図１７に示されるように木目細かに調整して使えるなどして、使用する環境に合わせて柔軟に使うことができる。【００４２】  本実施形態の腰臀部押圧伸展器１５は、図１２に示されるように、主座１７後部と副座１８前部を嵌合し、主座１７の軸受部２４と副座１８の軸受部２５に回転軸２０を軸通して、主座１７と副座１８が回転自在に枢結されて軸を中心に回転が可能な座面２２が形成される。さらに、主座１７の軸受部２３に支持枠１９を軸通し、支持枠１９が両端に有するスライド部材２１を外枠１６に取り付けて、座面２２は外枠１６に取り付けられる。【００４３】  図１３（Ａ）は正面図、図１３（Ｂ）は背面図、図１３（Ｃ）は側面図、図１３（Ｄ）は中心断面図で、図１４（Ａ）は主座１７の上面図、図１４（Ｂ）は主座１７の側面図、図１４（Ａ）は副座１８の上面図、図１４（Ｂ）は副座１８の側面図である。【００４４】  図１６（Ａ）は中心断面図である。副座１８を被験者方向前に回転して押圧頂面２６と押圧頂面２７、被験者支持部２８を形成し、押圧頂面２７の後に臀部収容空間部６が形成される。押圧頂面２６は高さを固定される。【００４５】  図１６（Ｂ）に示されるように、被験者Ｈが臀部収容空間部６に位置すると、背凭れ２９と副座１８で上半身を支持されて腰臀部が懸吊して保持される。図１６（Ａ）に示された、
（１）押圧頂面２６は被験者Ｈの大腿部周辺に当接する。
（２）押圧頂面２７は被験者Ｈの臀部と大腿部の接続部分周辺に当接する。
（３）被験者支持部２８は被験者Ｈの座骨前面部周辺に当接する。
ツボや筋肉は、被験者Ｈの体重と体の動きで押圧し伸展される。【００４６】  図１７（Ａ）は中心断面図である。
（１）支持枠１９を被験者方向後にスライドして、座面を表裏反転すると主座１７と副座１８の前後位置が入れ替わる。
（２）副座１８前端を外枠１６に当接して支持枠１９を被験者方向前にスライドすると主座１７と副座１８の連結部が持ち上がり押圧頂面２７、押圧頂面３２、被験者支持部３１が形成され、押圧頂面３２の後位置に臀部収容空間部６が形成される。
（３）押圧頂面２７の高さと被験者支持部３１の傾斜は支持枠１９を被験者方向前後に移動して調整可能であって、外枠１６と支持枠１９の間の距離が短くなるほど押圧頂面２７の高さが高くなる。【００４７】  図１７（Ｂ）に示されるように、被験者Ｈが臀部収容空間部６に位置すると、背凭れ２９と主座１７で支持されて腰臀部が懸吊して保持される。図１７（Ａ）に示された、
（１）押圧頂面２７は大腿部周辺のツボや筋肉に当接する。
（２）押圧頂面３２は臀部と大腿部の接続部分周辺のツボや筋肉に当接する。
（３）被験者支持部３１は座骨前面のツボや筋肉に当接する。
ツボや筋肉は、被験者Ｈの体重と体の動きで押圧し伸展される。【００４８】  本実施形態の腰臀部押圧伸展器１５は被験者Ｈが臀部収容空間部６に位置して、背凭れ２９と副座１８で支持し腰臀部を懸吊して保持し、ツボや筋肉を、被験者Ｈの体重と体の動きで押圧し伸展する仕組みである。仕組みの詳細は、第１実施形態の第００３８項の（１）、（２）、（５）、（６）、（７）に記載してあり、ここでは省略する。【００４９】  本実施形態の腰臀部押圧伸展器１５は座布団型である。しかし構造の全部または一部を使用して椅子型に構成することも可能である。【００５０】  ［第３実施形態］
図１８は本発明の第３実施形態を示す概略図である。
図１９は本発明の第３実施形態の使用方法を示す概略図である。
図２０は本発明の第３実施形態の機能を示す概略図である。【００５１】  図１８に示されるように、軸受部３８を有する主座３４と軸受部３９を有する副座３５と、左右の横枠３６と前枠３７、回転軸４０、回転制御部４１、背凭れ２９で構成される腰臀部押圧伸展器３３であって、椅子型である。【００５２】  座面４３は図１８（Ａ）に示されるように、主座３４と副座３５は、主座３４の軸受部３８と副座３５の軸受部３９が回転軸４０で軸通され回転自在に枢結して構成され、主座３４は軸受部３８を軸に回転が可能で、副座３５は軸受部３９を軸に回転が可能である。【００５３】  図１９（Ａ）に示されるように、座面４３は、主座３４が座面支持部４２で支持され、副座３５が回転制御部４１上段で支持されて略水平に支持される。図１９（Ｂ）に示されるように、主座３４と副座３５が枢結している回転軸４０を引きあげ、図１９（Ｃ）に示されるように、副座３５後端を回転制御部４１上段から下段に移動すると副座３５は傾倒して支持されて、押圧頂面４５と被験者支持部４７、臀部収容空間部６が形成される。【００５４】  図２０Ａに示されるように、主座３４を略水平に支持し、副座３５を傾倒して支持すると、座面４３は側面視への字形に形成されて、腰臀部押圧伸展器として使用することが可能になる。また、図２０Ｂに示されるように、主座３４と副座３５を略水平に支持すると、座面４３全体も略水平に形成されて普通の椅子として使用することが可能になる。【００５５】  図２０Ａに示されるように、被験者Ｈが臀部収容空間部６に位置すると、座骨点４４が押圧頂面４６の後位置に位置される。臀部と大腿部の接続部分周辺のツボや筋肉に押圧頂面４５が当接し、座骨前部周辺のツボや筋肉に押圧頂面４６が当接し、さらに臀部が懸吊される。【００５６】  ツボや筋肉を長時間刺激し続けると、刺激が過剰になり痛くなる。これには必要に応じて刺激を解消あるいは軽減することが有効である。本実施例の腰臀部押圧伸展器３３は、図１９、図２０に示すように、主座３４と副座３５を枢結している回転軸４０を操作して座面４３を切り替え、腰臀部押圧伸展器と椅子に切り替えることができる。また、図示しないが回転制御部４１の副座３５の支持部を多段化することで刺激の強弱機能を加えることができる。【００５７】  筋肉の緊張を軽減するために、例えばランバーサポート、可動式アームレスト、可動式ヘッドレストなど多種多様な部材で構成する腰痛改善椅子がある。部品の数が多く材料費や加工・組立費などの費用が嵩んでしまうが、本実施形態の腰臀部押圧伸展器３３は、図１８に示すように簡単な仕組みと構造で筋肉の緊張を軽減する椅子である。部品の数が少なく、材料費や加工・組立費などの費用を抑えることができるという効果がある。【００５８】  本実施形態の腰臀部押圧伸展器３３は被験者Ｈが臀部収容空間部６に位置して、背凭れ２９と副座３５で支持し腰臀部を懸吊して保持し、ツボや筋肉を、被験者Ｈの体重と体の動きで押圧し伸展する仕組みである。仕組みの詳細は、第１実施形態の第００３８項に記載してあり、ここでは省略する。【００５９】  ［第４実施形態］
図２１は本発明の第４実施形態を示す概略図である。
図２２は本発明の第４実施形態を示す側面概略図である。
図２３は本発明の第４実施形態の使用方法を示す概略図である。
図２４は本発明の第４実施形態の使用方法を示す概略図である。
図２５は本発明の第４実施形態の操作方法と機能を示す概略図である。
図２６は本発明の第４実施形態の操作方法と機能を示す概略図である。
図２７は本発明の第４実施形態の操作方法と機能を示す概略図である。【００６０】  図２１に示されるように、外枠５２と、軸受部５５を有する主座５３と、軸受部５６Ｆ、５６Ｒを有する副座５４と、回転軸２０と、左右両端にスライド部材２１を有する支持枠１９があって、【００６１】  主座５３を副座５４で左右から挟んで布置して、主座５３の軸受部５５と副座５４の軸受部５６Ｆを回転軸２０で軸通して主座５３と副座５４を回転自在に枢結し、支持枠１９を副座５４の軸受部５６Ｒに軸通して枢結し、さらに支持枠１９の左右両端のスライド部材２１を外枠５２に取り付けてなる腰臀部押圧伸展器５１であって、家庭や職場にある普通の椅子やベンチで使用可能な座布団型である。【００６２】  図２２（Ａ）は側面図、図２２（Ｂ）は断面図である。【００６３】  副座５４を被験者方向前後に回転して押圧頂面を形成するものであって、図２３（Ａ）側面図、図２３（Ｂ）中心断面図、図２５に示されるように、主座５３と副座５を回転し、回転軸２０を支持枠１９の被験者方向前下方に位置し、あるいは図２４（Ａ）側面図、図２４（Ｂ）中心断面図、図２６に示されるように、主座５３と副座５を回転し、回転軸２０を支持枠１９の被験者方向後下方に位置して使用すると、
（１）図２５（Ａ）に示されるように、回転軸２０が支持枠１９の被験者方向前下方に位置されると、押圧頂面５８、押圧頂面５９、被験者支持部６０、臀部収容空間部６が形成される。被験者Ｈが臀部を被験者支持部６０に位置すると、図２５（Ｂ）に示されるように、被験者Ｈの体重は骨盤５７に負荷されて、矢印Ｙ６で示すように骨盤５７が被験者支持部６０の斜面を滑り落ちて臀部収容空間部６に位置される。
（２）図２６（Ａ）に示されるように、回転軸２０が支持枠１９の被験者方向後下方に位置されると、押圧頂面５８、押圧頂面５９、臀部収容空間部６が形成される。被験者Ｈが臀部を臀部収容空間部６に位置すると、図２６（Ｂ）に示されるように、被験者Ｈの体重が骨盤５７に負荷されて、矢印Ｙ８で示すように、骨盤５７はを押し下げられて臀部収容空間部６に位置される。【００６４】  図２５で示されるように、骨盤５７が臀部収容空間部６に位置すると被験者Ｈの体重が座骨８８に負荷され、座骨前後のツボや筋肉が座骨８８と押圧頂面５８、押圧頂面５９で押圧伸展される。特に、押圧頂面５９の後方上に位置する被験者支持部６０には、矢印Ｙ６で示すように被験者Ｈの体重で骨盤１０６を被験者方向前下方に誘導し、矢印Ｙ５で示すように座骨８８を押圧頂面５８後下方に差し込む効果があって、座骨８８前後のツボや筋肉の押圧伸展効果が増進する。【００６５】  図２６で示されるように、骨盤５７が臀部収容空間部６に位置すると被験者Ｈの体重が座骨８８に負荷され、座骨８８前後のツボや筋肉が座骨８８と押圧頂面５８、押圧頂面５９で押圧伸展される。矢印Ｙ８で示すように被験者Ｈの体重で骨盤８８を被験者方向下に誘導し、矢印Ｙ７で示すように座骨８８を押圧頂面５８と押圧頂面５９の間に強く差し込む（楔）作用があって、座骨８８前後のツボや筋肉の押圧伸展効果が増進する。【００６６】  被験者Ｈは体を動かしたり、姿勢を変えたりして、座骨前後のツボや筋肉を押圧伸展する圧力を変化させることができる。【００６７】  腰臀部押圧伸展器５１は、腰臀部押圧伸展器５１を回転して前後を入れ替え、または支持枠１９を被験者方向前後に移動して前後を入れ替え使用することができる。図２７は図２５の構成の腰臀部押圧伸展器５１を前後に入れ替えたものである。図示しないが図２６も同じように前後を入れ替えて使用することができる。【００６８】  図２７で示されるように、骨盤５７が被験者Ｈの体重で矢印Ｙ１０のように押し出されて、座骨８８がやや傾斜して臀部収容空間部６に押し込まれる。押圧伸展部５８を支点に上半身が梃子のように作用して座骨８８を押圧頂面５９に強く押し当てる。【００６９】  図２５、図２６、図２７で示すように、支持枠１９を被験者方向前後に移動し、また主座５３と副座５４を回転して反転し、押圧頂面５８、押圧頂面５９、被験者支持部６０、臀部収容空間部６の位置を変え、押圧頂面５８、押圧頂面５９の高さを調整することができる。【００７０】  図２５から図２７は、本実施形態の腰臀部押圧伸展器５１の使用方法の一例であって、主座５３、副座５４の組み合わせで、被験者Ｈの姿勢、座り方に合わせた様々な使用方法がある。【００７１】  本実施形態の腰臀部押圧伸展器５１は、被験者Ｈが臀部収容空間部６に位置して座骨８８を挟んで支持し、押圧頂面５８、押圧頂面５９をツボや筋肉に当接し被験者Ｈの体重と体の動きで押圧し伸展する仕組みである。仕組みの詳細は、第１実施形態の第００３８項の（３）、（４）、（７）に記載してあり、ここでは省略する。【００７２】  ［第５実施形態］
図２８は本発明の第５実施形態を示す外観斜視概略図である。
図２９は本発明の第５実施形態を示す上面概略図である。
図３０は本発明の第５実施形態を示す側面と中心断面の概略図である。
図３１は本発明の第５実施形態の機能を示す概略図である。【００７３】  図２８に示すように、本実施形態の腰臀部押圧伸展器６１は、第２実施形態の腰臀部押圧伸展器１５から押圧頂面の位置や高さを調整する機能を省いた最も簡素な構造の腰臀部押圧伸展器６１である。【００７４】  図２９に示すように、主座６２と副座１８は主座６２の軸受部６３と副座１８の軸受部２５が回転軸２０で軸通され回転自在に枢結されて構成される。【００７５】  図３０（Ａ）は側面図、図３０（Ｂ）は中心断面図である。【００７６】  図３１に示されるように、回転軸２０を軸に、副座１８を被験者方向前に回転して副座１８が主座６２後端に当接して押圧頂面２６、押圧頂面２７、被験者支持部２８を形成可能であって、被験者Ｈが臀部収容空間部６に位置して背凭れに上半身を預けると押圧頂面２６、押圧頂面２７、被験者支持部２８で支持され、臀部が懸吊され、ツボや筋肉に押圧頂面２６、押圧頂面２７に当接する。ツボや筋肉が押圧され伸展される。【００７７】  本実施形態の腰臀部押圧伸展器６１は被験者Ｈが臀部収容空間部６に位置して、背凭れ２９と副座１８で支持し腰臀部を懸吊して保持し、ツボや筋肉を、被験者Ｈの体重と体の動きで押圧し伸展する仕組みである。仕組みの詳細は、第１実施形態の第００３８項の（１）、（２）、（５）、（６）、（７）に記載してあり、ここでは省略する。【００７８】  ［第６実施形態］
図３２は本発明の第６実施形態を示す概略図である。
図３３は本発明の第６実施形態の使用方法を示す断面概略図である。
図３４は本発明の第６実施形態の使用方法を示す概略図である。
図３５は本発明の第６実施形態の使用方法を示す概略図である。【００７９】  図３２に示されるように、左右の横枠７０と、前枠６８と、支持枠６９と、軸受部７３Ｆ、軸受部７３Ｒを有する主座６６と、軸受部７５Ｆ、軸受部７５Ｒを有する副座６７と、回転軸２０と、前枠６８を固定可能な固定部材７１と、被験者方向前後に移動可能なスライド部材７２を有する支持枠６９で構成される、座布団型で組立・分解可能な腰臀部押圧伸展器６５である。【００８０】  図３２に示されるように、左右の横枠７０に前枠６８と支持枠６９が取り付けられ、主座６６と、副座６７が主座６６を左右から挟んで布置される。【００８１】  前枠６８と主座６６と副座６７と支持枠６９は回転が可能に連結される。
（１）主座６６の軸受部７３Ｒと副座６７の軸受部７５Ｆに回転軸２０を軸通して主座６６と副座６７が枢結され回転可能である。
（２）主座６６の軸受部７３Ｆに前枠６８を軸通して主座６６と前枠６８が枢結され回転可能である。
（３）副座６７の軸受部７５Ｒに支持枠を６９軸通して副座６７と支持枠６９が枢結され回転可能である。【００８２】  図３２に示されるように、横枠７０に前枠６８は固定され支持枠６９はスライド可能に取り付けられる。前枠６８は横枠７０にスライド可能に取り付けて支持枠６９を固定しても良く、あるいは前枠６８、支持枠６９の両方をスライド可能に取り付けても良い。【００８３】  本実施形態の腰臀部押圧伸展器６５は、図３３（Ａ）に示されるように、主座６６と副座６７は略水平であって座面全体が略水平である。横枠７０に前枠６８は固定され支持枠６９はスライド可能に取り付けられる。図３３（Ｂ）に示されるように、支持枠６９を被験者方向前にスライドすると、主座６６が前枠６８を軸に回転し、副座６７が支持枠６９を軸に回転する。回転軸２０が押し上げられて押圧頂面７７、押圧頂面７８、被験者支持部７９が形成される。さらに、【００８４】  図３４（Ａ）に示されるように、矢印Ｙ１２に示すように支持枠６９をスライドして、押圧頂面７７を矢印Ｙ１１に示すように高さが調整可能で、押圧頂面７７が任意の高さになったところで支持枠６９を固定して高さを固定することができる。【００８５】  押圧頂面７７は楔型で先端に向かってにだんだん細くなり、楔の開角度θは支持枠６９をスライドする長さによって制御される。また、楔の開角度θに応じて図３４（Ａ）、図３４（Ｂ）に示されるように、被験者支持部７９の傾斜角度も変化する。楔の開角度θが小さくなるとツボや筋肉を押圧する押圧力は強くなり、反対に大きいと弱くなる。【００８６】  本実施形態の腰臀部押圧伸展器６５は、背凭れを有する椅子やベンチで使用する。図３３（Ａ）に示されるように、主座６６と副座６７を略水平に支持し略水平な座面を形成し、図３５（Ａ）に示されるように座布団として使用可能であって、また、図３３（Ｂ）に示されるように、主座６６と副座６７を回転自在に枢結する回転軸２０を押し上げて側面視への字形に座面を形成し、図３５（Ｂ）に示されるように、腰臀部押圧伸展器として使用可能である。つまり、腰臀部押圧伸展器と座布団に切り替えて使用可能であって、座布団として使い、腰臀部押圧伸展器として使うことができる。してみると、本実施形態の腰臀部押圧伸展器６５は使わない時は座布団として使えるので、片づける手間がからず、片づける場所も必要がない。【００８７】  本実施形態の腰臀部押圧伸展器６５は、組立・分解が可能であって、自動車やバス、電車や航空機など公共交通機関で移動する時、携帯して使用することができる。【００８８】  本実施形態の腰臀部押圧伸展器６５は被験者Ｈが臀部収容空間部６に位置して、背凭れ２９と副座６７で支持し腰臀部を懸吊して保持し、ツボや筋肉を、被験者Ｈの体重と体の動きで押圧し伸展する仕組みである。仕組みの詳細は、第１実施形態の第００３８項の（１）、（２）、（５）、（６）、（７）に記載してあり、ここでは省略する。【００８９】  ［第７実施形態］
図３６は本発明の第７実施形態を示す概略図である。【００９０】  図３６に示すように、本実施形態の腰臀部押圧伸展器８１は、第２実施形態の腰臀部押圧伸展器１５を組立・分解が可能な構造に構成したものである。【００９１】  ［第８実施形態］
図３７は本発明の第８実施形態を示す概略図である。【００９２】  図３７に示すように、本実施形態の腰臀部押圧伸展器８２は、第２実施形態の腰臀部押圧伸展器１５を組立・分解が可能な構造に構成したものである。【００９３】  ［第９実施形態］
図３８は本発明の第９実施形態を示す概略図である。
図３９は本発明の第９実施形態を示す側面と中心断面概略図である。
図４０は本発明の第９実施形態の使用・操作方法と機能を示す概略図である。
図４１は本発明の第９実施形態の使用・操作方法と機能を示す概略図である。
図４２は本発明の第９実施形態の使用・操作方法と機能を示す概略図である。【００９４】  本実施形態の腰臀部押圧伸展器８５は、図３８に示すように、座面の前後に押圧伸展部８６と押圧伸展部８７の二つの押圧伸展部を有する座布団型である。しかし、図３９に示すように、図３８の構造を使用して椅子型に構成することも可能である。【００９５】  図４０〜図４２に示すように、骨盤５７、座骨８８を前後から挟んで保持し、被験者Ｈの骨盤５７の安定に作用し、特に背凭れのない椅子では姿勢の安定に効果がある。さらに、【００９６】  支持枠６９を被験者方向前後に移動して、位置を選んで押圧頂面を形成し、あるいは押圧頂面の高さや被験者支持部の斜面角度を調整することが可能で、ツボや筋肉に加える押圧力が調整される。また、【００９７】  支持枠６９を被験者方向前後に移動して、位置を選んで臀部収容空間部６を形成し、ツボや筋肉に合わせて大きさを調整可能で、ツボや筋肉に加える押圧力が調整される。【００９８】  押圧頂面の形成・解除が自由で、必要に応じて腰臀部押圧伸展器と椅子に切り替えることが可能である。【００９９】  図４０（Ａ）に示すように、押圧伸展部８６の回転軸２０を支持枠６９の被験者方向前上に位置し、押圧伸展部８７の回転軸２０を支持枠６９の被験者方向後上に位置して使用される。【０１００】  図４０（Ｂ）に示すように、図３８を原位置として、支持枠６９を矢印Ｙ１３に示すように移動し押圧伸展部８６の回転軸２０を支持枠６９の被験者方向前上に位置し、押圧伸展部８７の回転軸２０を支持枠６９の被験者方向後上に位置すると、臀部収容空間部６が形成されて、図４０（Ｃ）に示すように、押圧頂面７７、押圧頂面７９、被験者支持部７９が形成される。【０１０１】  図４１（Ａ）に示すように、押圧伸展部８７の回転軸２０を支持枠６９の被験者方向後上に位置して使用される。【０１０２】  図４１（Ｂ）に示すように、図３８を原位置として、支持枠６９を矢印Ｙ１４に示すように移動し押圧伸展部８７の回転軸２０を支持枠６９の被験者方向後上に位置すると、臀部収容空間部６が形成されて、図４１（Ｃ）に示すように、押圧頂面７７、押圧頂面７９、被験者支持部７９が形成される。【０１０３】  図４２（Ａ）に示すように、押圧伸展部８６の回転軸２０を支持枠６９の被験者方向前下に位置し、押圧伸展部８７の回転軸２０を支持枠６９の被験者方向後上に位置して使用される。【０１０４】  図４２（Ｂ）に示すように、図３８を原位置として、支持枠６９を矢印Ｙ１５に示すように移動し押圧伸展部８６の回転軸２０を支持枠６９の被験者方向前下に位置し、
押圧伸展部８７の回転軸２０を支持枠６９の被験者方向後上に位置すると、臀部収容空間部６が形成されて、図４２（Ｃ）に示すように、押圧頂面７７、押圧頂面７９、被験者支持部７９が形成される。【０１０５】  本実施形態の腰臀部押圧伸展器８５は、被験者Ｈが臀部収容空間部６に位置して座骨８８を挟んで支持し、押圧頂面７７、押圧頂面７８をツボや筋肉に当接し被験者Ｈの体重と体の動きで押圧し伸展する仕組みである。【０１０６】  ［第１０実施形態］
図４３は本発明の第１０実施形態を示す概略図である。
図４４は本発明の第１０実施形態の操作方法を示す概略図である。【０１０７】  図４３に示されるように、本実施形態の腰臀部押圧伸展器８９は、第９実施形態の腰臀部押圧伸展器８５を組立・分解が可能な構造で、携帯可能な座布団型に構成したものである。【０１０８】  図４４（Ａ）〜（Ｃ）に示すように、押圧伸展部８６、押圧伸展部８７は主座６６と副座６７の組み合わせを変えて、ツボや筋肉に加える押圧力や座り心地を極め細やかに調整することができる。
【図面の簡単な説明】
【０１０９】
【図１】は本発明の第１実施形態を示す概略図である。
【図２】は本発明の第１実施形態を示す概略図である。
【図３】は本発明の第１実施形態を示す分解概略図である。
【図４】は本発明の第１実施形態の操作と機能を示す概略図である。
【図５】は本発明の第１実施形態の操作と機能を示す概略図である。
【図６】は本発明の第１実施形態の操作と機能を示す概略図である。
【図７】は本発明の第１実施形態の操作と機能を示す概略図である。
【図８】は本発明の第１実施形態の懸吊機能を示す説明図である。
【図９】は本発明の第１実施形態の押圧伸展機能を示す説明図である。
【図１０】は本発明の第１実施形態の姿勢制御機能を示す説明図である。
【図１１】は本発明の第１実施形態の座骨滑動制御を示す説明図である。
【図１２】は本発明の第２実施形態を示す概略図である。
【図１３】は本発明の第２実施形態を示す概略図である。
【図１４】は本発明の第２実施形態で主座を示す概略部品図である。
【図１５】は本発明の第２実施形態で副座を示す概略部品図である。
【図１６】は本発明の第２実施形態の使用方法と機能を示す概略図である。
【図１７】は本発明の第２実施形態の使用状態を示す概略図である。
【図１８】は本発明の第３実施形態を示す概略図である。
【図１９】は本発明の第３実施形態の使用方法を示す概略図である。
【図２０】は本発明の第３実施形態の機能を示す概略図である。
【図２１】は本発明の第４実施形態を示す概略図である。
【図２２】は本発明の第４実施形態を示す側面概略図である。
【図２３】は本発明の第４実施形態の使用方法を示す概略図である。
【図２４】は本発明の第４実施形態の使用方法を示す概略図である。
【図２５】は本発明の第４実施形態の操作方法と機能を示す概略図である。
【図２６】は本発明の第４実施形態の操作方法と機能を示す概略図である。
【図２７】は本発明の第４実施形態の操作方法と機能を示す概略図である。
【図２８】は本発明の第５実施形態を示す外観斜視概略図である。
【図２９】は本発明の第５実施形態を示す上面概略図である。
【図３０】は本発明の第５実施形態を示す側面と中心断面の概略図である。
【図３１】は本発明の第５実施形態の機能を示す概略図である。
【図３２】は本発明の第６実施形態を示す概略図である。
【図３３】は本発明の第６実施形態の使用方法を示す断面概略図である。
【図３４】は本発明の第６実施形態の使用方法を示す概略図である。
【図３５】は本発明の第６実施形態の使用方法を示す概略図である。
【図３６】は本発明の第７実施形態を示す概略図である。
【図３７】は本発明の第８実施形態を示す概略図である。
【図３８】は本発明の第９実施形態を示す概略図である。
【図３９】は本発明の第９実施形態を示す側面と中心断面概略図である。
【図４０】は本発明の第９実施形態の使用・操作方法と機能を示す概略図である。
【図４１】は本発明の第９実施形態の使用・操作方法と機能を示す概略図である。
【図４２】は本発明の第９実施形態の使用・操作方法と機能を示す概略図である。
【図４３】は本発明の第１０実施形態を示す概略図である。
【図４４】は本発明の第１０実施形態の操作方法を示す概略図である。
【符号の説明】
【０１１０】１      腰臀部押圧伸展器
２      横枠
３      主座
４      副座
５      補助座
６      臀部収容空間部
７      押圧頂面
８      押圧頂面
９      被験者支持部
１０Ｆ  回転軸
１０Ｍ  回転軸
１０Ｒ  回転軸
１１Ｆ  軸受部
１１Ｒ  軸受部
１２    スライド溝
１３    固定具
１５    腰臀部押圧伸展器
１６    外枠
１７    主座
１８    副座
１９    支持枠
２０    回転軸
２１    スライド部材
２２    座面
２３    軸受部
２４    軸受部
２５    軸受部
２６    押圧頂面
２７    押圧頂面
２８    被験者支持部
２９    背凭れ
３１    被験者支持部
３２    押圧頂面
３３    腰臀部押圧伸展器
３４    主座
３５    副座
３６    横枠
３７    前枠
３８    軸受部
３９    軸受部
４０    回転軸
４１    回転制御部
４２    座面支持部
４３    座面
４４    座骨点
４５    押圧頂面
４６    押圧頂面
４７    被験者支持部
５１    腰臀部押圧伸展器
５２    外枠
５３    主座
５４    副座
５５    軸受部
５６Ｆ  軸受部
５６Ｒ  軸受部
５７    骨盤
５８    押圧頂面
５９    押圧頂面
６０    被験者支持部
６１    腰臀部押圧伸展器
６２    主座
６３    軸受部
６５    腰臀部押圧伸展器
６６    主座
６７    副座
６８    前枠
６９    支持枠
７０    横枠
７１    固定部材
７２    スライド部材
７３Ｆ  軸受部
７３Ｒ  軸受部
７５Ｆ  軸受部
７５Ｒ  軸受部
７７    押圧頂面
７８    押圧頂面
７９    被験者支持部
８０    座面
８１    腰臀部押圧伸展器
８２    腰臀部押圧伸展器
８３    補助座
８４    固定資材
８５    腰臀部押圧伸展器
８６    押圧伸展部
８７    押圧伸展部
８８    座骨
８９    腰臀部押圧伸展器
９０    生理的Ｓ字曲線
【図１】
2015177942.tif 000003
【図２】
2015177942.tif 000004
【図３】
2015177942.tif 000005
【図４】
2015177942.tif 000006
【図５】
2015177942.tif 000007
【図６】
2015177942.tif 000008
【図７】
2015177942.tif 000009
【図８】
2015177942.tif 000010
【図９】
2015177942.tif 000011
【図１０】
2015177942.tif 000012
【図１１】
2015177942.tif 000013
【図１２】
2015177942.tif 000014
【図１３】
2015177942.tif 000015
【図１４】
2015177942.tif 000016
【図１５】
2015177942.tif 000017
【図１６】
2015177942.tif 000018
【図１７】
2015177942.tif 000019
【図１８】
2015177942.tif 000020
【図１９】
2015177942.tif 000021
【図２０】
2015177942.tif 000022
【図２１】
2015177942.tif 000023
【図２２】
2015177942.tif 000024
【図２３】
2015177942.tif 000025
【図２４】
2015177942.tif 000026
【図２５】
2015177942.tif 000027
【図２６】
2015177942.tif 000028
【図２７】
2015177942.tif 000029
【図２８】
2015177942.tif 000030
【図２９】
2015177942.tif 000031
【図３０】
2015177942.tif 000032
【図３１】
2015177942.tif 000033
【図３２】
2015177942.tif 000034
【図３３】
2015177942.tif 000035
【図３４】
2015177942.tif 000036
【図３５】
2015177942.tif 000037
【図３６】
2015177942.tif 000038
【図３７】
2015177942.tif 000039
【図３８】
2015177942.tif 000040
【図３９】
2015177942.tif 000041
【図４０】
2015177942.tif 000042
【図４１】
2015177942.tif 000043
【図４２】
2015177942.tif 000044
【図４３】
2015177942.tif 000045
【図４４】
2015177942.tif 000046